(57)【要約】【課題】特急回数券等の乗車券が使用済みであることを利用者が容易に認識できるようにする。【解決手段】入場時に自動改札機の本体に投入された乗車券を利用者に返却する際にその乗車券に所定の内容を印字する自動改札機用印字装置において、前記投入された乗車券に使用済みを示す所定の内容をスタンプ方式で印字するスタンプ印字機構を設ける。【選択図】　　　図１
2004021447.tif 000002
【特許請求の範囲】
【請求項１】
入場時に自動改札機の本体に投入された乗車券を利用者に返却する際にその乗車券に所定の内容を印字する自動改札機用印字装置において、前記投入された乗車券に使用済みを示す所定の内容をスタンプ方式で印字するスタンプ印字機構を設けたことを特徴とする自動改札機用印字装置。
【請求項２】
請求項１に記載の自動改札機用印字装置において、スタンプ印字機構で印字される内容は、乗車券に印字されている他の内容と異なる印字方向で印字されていることを特徴とする自動改札機用印字装置。
【請求項３】
請求項１又は２に記載の自動改札機用印字装置において、スタンプ印字機構で印字される内容は、乗車券に印字されている他の内容と異なる色彩で印字されていることを特徴とする自動改札機用印字装置。
【請求項４】
請求項１〜３のいずれかに記載の自動改札機用印字装置において、スタンプ印字機構で印字される内容以外の内容は、サーマルヘッド方式で印字されることを特徴とする自動改札機用印字装置。
【請求項５】
請求項１〜４のいずれかに記載の自動改札機用印字装置において、使用済みを示すパンチ孔をあけるパンチング機構が設けられていることを特徴とする自動改札機用印字装置。
【発明の詳細な説明】
【０００１】
【発明の属する技術分野】
本発明は自動改札機用印字装置に係り、特に、乗車券に使用済みの乗車券であることを明瞭に表示することができるようにしたものに関する。
【０００２】
【従来の技術】
従来、自動改札機用印字装置は、自動改札機の本体の投入口に投入された乗車券（本発明で単に乗車券というときは、普通乗車券、回数券、定期券あるいは特急券等の各種乗車券類を含んでいる。）に記録されているデータを基に入場の演算処理を行い、その演算結果により入場を許可できると判定され、かつ、入場駅や入場年月日等の所定の内容の印字を必要とされる乗車券に対して、サーマルヘッド方式の印字機構によりその所定の内容の印字が行われるように構成されている。また、この際、使用済みを示す所定のパンチ孔を必要とするときは、パンチング機構により乗車券の所定位置にパンチ孔があけられるように構成されている。これらサーマルヘッド方式の印字機構及びパンチング機構は、通常、自動改札機の本体内に設けられている乗車券を搬送する搬送路のベリファイ用磁気ヘッドの下流側にパンチ印字部として一つのユニット内に収められている。
【０００３】
【発明が解決しようとする課題】
しかしながら、上記従来の自動改札機用印字装置は、入場を許可された乗車券のうち、所定の内容の印字を必要とする乗車券に対してサーマルヘッド方式の印字機構を介して所定の内容を印字できるように構成されているが、これら印字内容は、乗車券として当然の内容が印字されているため、利用者（旅客）が注意深く印字内容を読取らないと使用済みの乗車券か未使用の乗車券かの区別がつけにくく、係員との間でトラブルが生じやすいという欠点があった。
【０００４】
例えば、６枚綴りからなるカードサイズ（いわゆるマルス券）の特急列車用の特急回数券を使用して入場し、車内検札時に利用者がその入場時に使用した特急回数券を係員に渡さずに未使用の特急回数券を渡して車内検札を受けて使用済みの印が押されてしまった場合、利用者の手元には、入場時に使用されて使用済みとなっている特急回数券と、入場時には使用されていないが車内検札で使用済みとなってしまった２枚の特急回数券が発生し、後に、２枚の特急回数券とも使用済みと見なされてしまい、利用者と係員との間でトラブルが発生するおそれがあった。
【０００５】
そこで、本発明は、上記欠点を解消するためになされたものであって、乗車券が入場処理されたときに、その乗車券が使用済みであることが明瞭に使用者が判別できるように印字することのできる自動改札機用印字装置を提供することにある。
【０００６】
【課題を解決するための手段】
本発明に係る自動改札機用印字装置は、上記目的を達成するために、請求項１に記載の発明は、入場時に自動改札機の本体に投入された乗車券を利用者に返却する際にその乗車券に所定の内容を印字する自動改札機用印字装置において、前記投入された乗車券に使用済みを示す所定の内容をスタンプ方式で印字するスタンプ印字機構を設けたことを特徴としている。
本発明の請求項２に記載の自動改札機用印字装置は、スタンプ印字機構で印字される内容は、乗車券に印字されている他の内容と異なる印字方向で印字されていることを特徴としている。
本発明の請求項３に記載の自動改札機用印字装置は、スタンプ印字機構で印字される内容は、乗車券に印字されている他の内容と異なる色彩で印字されていることを特徴としている。
本発明の請求項４に記載の自動改札機用印字装置は、スタンプ印字機構で印字される内容以外の内容は、サーマルヘッド方式で印字されることを特徴としている。
本発明の請求項５に記載の自動改札機用印字装置は、使用済みを示すパンチ孔をあけるパンチング機構が設けられていることを特徴としている。
【０００７】
【発明の実施の形態】
以下、本発明の実施の形態を図面に基づいて説明する。図１は、一実施の形態に係る自動改札機用印字装置を組込んだ自動改札機の本体のカードハンドラ部分の概略構成図である。
【０００８】
カードハンドラａの投入口１と取出口２との間には、モータＭにより駆動される、一対の無端ベルトを対設して形成された周知の搬送路Ｌが設けられている。この搬送路Ｌは、矢印に示されるように、乗車券を投入口１から取出口２へ搬送することができるように構成されている。
【０００９】
この搬送路Ｌの途中には、投入口１から取出口２にかけて、順に、投入口１から複数枚の乗車券が積層して一括投入されたときの乗車券を１枚ずつに分離する分離部３と、分離された乗車券（１枚券のときはその乗車券）の姿勢を所定の状態に整える整列部４と、乗車券に記録されているデータを読取る読取ヘッドＨ１　，Ｈ１　′（読取ヘッドＨ１　′は、投入口１に裏面を上にして、すなわち、乗車料金等の所定の内容の印字されている面を下にして投入された乗車券に記録されているデータを読取る裏面投入用である。）と、複数枚の乗車券が投入されたときに１枚ずつの乗車券に分けて一時保留するとともに、裏面投入された乗車券を反転して送り出すことができるプール反転部Ｐと、乗車券に新たなデータ（入出場データ）を書込むための書込ヘッドＨ２　と、書込まれた内容をチェックするためのベリファイヘッドＨ３　と、必要に応じて乗車券にパンチ穴をあけ、また、入場駅名等の所定の内容を印字する、本発明の自動改札機用印字装置に当るパンチ印字部５とが設けられている。
【００１０】
なお、カードハンドラａが複数枚対応型でないときは、分離部３及びプール反転部Ｐは省略される。この場合、書込ヘッドＨ２　及びベリファイヘッドＨ３　は、裏面投入用がそれぞれ増設される。
【００１１】
図１中、イは、取出口２から排出された乗車券であり、ここでは、特急回数券（以下、回数券で説明する。）として示されている。この回数券イには、後述するスタンプ印字機構で印字され、回数券が使用されていることを示す所定の内容（ここでは「乗車済み」）がスタンプ印字部ロの位置に印字されている。このスタンプ印字部ロの印字方向は、サーマルヘッド方式の印字機構で印字された他の内容と異なる印字方向で印字されているとともに、その他の内容と異なる色彩で印字されている。
【００１２】
例えば、サーマルヘッド方式で印字された印字方向が横書きのときは、スタンプ方式で印字される内容は縦書きとなり、また、サーマルヘッド方式で印字される印字色が黒色のときは、スタンプ方式で印字される印字色は赤色で印字される。なお、図中、ハは、回数券イの上端中央部分（図示の例では、左側中央部分）に設けられた使用済みを示すパンチ孔である。
【００１３】
図２は、パンチ印字部５の概略平面図である。なお、ここでは、図面を簡略化するために搬送路Ｌは省略されている。このパンチ印字部５には、周知の自動改札機の本体に組込まれているパンチ印字部と同様に、サーマルヘッド方式で印字するサーマルヘッド印字機構１０とパンチ孔ハをあけるパンチング機構２０とが設けられている。そして、図２中、３０は、本発明に係るスタンプ印字機構である。なお、図２においては、後述する図３に示されるスタンプ印字機構３０の印部３０ａのみが示されている。
【００１４】
これら各機構１０，２０，３０は、回数券イが搬送される基板４０上に設けられている。この基板４０上の搬送方向と平行する一辺（図２の例では下辺）に回数券イの搬送方向を規制する立上片４１が設けられている。そして、各機構１０，２０，３０のうち、サーマルヘッド印字機構１０は、立上片４１と反対側で、かつ、基板のほぼ中央部分に設けられ、また、パンチング機構２０は、立上片４１と反対側で、かつ、基板の搬送方向側（図２では左側）に設けられる。さらに、スタンプ印字機構３０は、サーマルヘッド印字機構１０と立上片４１とのほぼ中間位置に設けられている。
【００１５】
図３は、スタンプ印字機構の詳細図である。スタンプ印字機構３０は、ソレノイド３１と、そのソレノイドにより駆動されるコ字状のレバー３２と、そのレバーの先端に設けられている印部３０ａとから構成されている。ソレノイド３１は、自動改札機の本体を統括的に制御する図示しない制御器によって駆動制御され、そのロッド３１ａが矢印のように突出したときに、レバー３２を支軸３２ａを中心にして矢印で示されるように作動させ、そのレバー３２の先端に設けられている印部３０ａを基板４０に向けて押圧できるように構成されている。
【００１６】
印部３０ａは、一度のインクの補充で多くの回数の印字が可能な周知のスタンプ式の印鑑と同様に構成されていて、その印面は、図１に示されるように「乗車済」の文字が形成されている。
【００１７】
上記構成からなる自動改札機用印字装置において、投入口１に投入された乗車券が回数券と判定され、かつ、入場を許可できるときは、書込ヘッドＨ２　で所定の内容の磁気データが書込まれるとともに、サーマルヘッド印字機構１０により入場駅や入場日時等の所定の内容が印字され、かつ、スタンプ印字機構３０により「乗車済」の印が印字（押印）される。さらに、その回数券イには、パンチング機構２０を介してパンチ孔ハがあけられる。そして、これら処理が終了後、回数券イは取出口２に排出されて利用者へ返却される。
【００１８】
なお、上述の例では、乗車券を特急回数券としたが、他の種類の乗車券としてもよいことはもちろんである。
【００１９】
【発明の効果】
本発明の請求項１に記載の自動改札機用印字装置は、投入された乗車券に使用済みを示す所定の内容をスタンプ方式で印字するスタンプ印字機構を設けたので、利用者は、スタンプ印字機構で印字された内容により、その印字された乗車券が使用済みであることを極めて容易に認識することができる。
本発明の請求項２に記載の自動改札機用印字装置は、スタンプ印字機構で印字される内容は、乗車券に印字されている他の内容と異なる印字方向で印字されているので、利用者は、使用済みの乗車券であることをより明確に認識することができる。
本発明の請求項３に記載の自動改札機用印字装置は、スタンプ印字機構で印字される内容は、乗車券に印字されている他の内容と異なる色彩で印字されているので、利用者は、使用済みの乗車券であることをより明確に認識することができる。
本発明の請求項４に記載の自動改札機用印字装置は、スタンプ印字機構で印字される内容以外の内容は、サーマルヘッド方式で印字されるので、使用済みを示す以外の内容を効率よく印字することができる。
本発明の請求項５に記載の自動改札機用印字装置は、使用済みを示すパンチ孔をあけるパンチング機構が設けられているので、パンチ孔によっても使用済みであることを確認することができる。
【図面の簡単な説明】
【図１】本発明の一実施の形態に係る自動改札機用印字装置を組込んだ自動改札機の本体のカードハンドラ部分の概略構成図である。
【図２】パンチ印字部の平面図である。
【図３】スタンプ印字機構の詳細図である。
【符号の説明】
ａ　カードハンドラ
１　投入口
２　取出口
Ｌ　搬送路
５　パンチ印字部
１０　サーマルヘッド印字機構
２０　パンチング機構
３０　スタンプ印字機構
３０ａ　印部
３１　ソレノイド
３２　レバー
イ　回数券（乗車券）
【図１】
2004021447.tif 000003
【図２】
2004021447.tif 000004
【図３】
2004021447.tif 000005